(57)【要約】    【課題】  埋込水栓のメンテナンスカバーのメンテナンス作業時におけるメンテナンスカバーの破損のおそれを減少させること。    【解決手段】  埋込水栓１０内に配設される止水栓ユニット１４などのメンテナンス部を覆うとともに埋込水栓１０のカバー本体部１０２に開口されたメンテナンス用の開口部１０７に対して開閉自在に取り付けられるメンテナンスカバー１０４を、カバー本体部１０２に対して、スライド自在に取り付けた。また、メンテナンスカバー１０４には脱落防止凸部１２０、干渉凸部１２２を形成した。    【選択図】    図１
2006016758.tif 000002
【特許請求の範囲】
【請求項１】
埋込水栓内に配設される止水栓などのメンテナンス部を覆うとともに前記埋込水栓のカバー本体部に開口されたメンテナンス用の開口部に対して開閉自在に取り付けられるメンテナンスカバーを、前記カバー本体部に取り付けるための埋込水栓のメンテナンスカバーの取付構造であって、
前記メンテナンスカバーは、前記カバー本体部に対して、スライド自在に取り付けられたことを特徴とする埋込水栓のメンテナンスカバーの取付構造。
【発明の詳細な説明】
【技術分野】
【０００１】
本発明は、埋込水栓のカバー本体部に対して開閉自在に取り付けられる埋込水栓のメンテナンスカバーの取付構造に関する。
【背景技術】
【０００２】
従来、浴室のカウンターのパネル、水栓ボックス、水栓カバーなどによって水栓本体や配管類が被覆される埋込水栓が知られている。この種の埋込水栓には、そのカバー本体部に対して開閉自在に取り付けられるメンテナンスカバーが備えられているものがある。例えば、図７に示すような水栓１４０では、水栓カバー１４１内に止水栓１４２やストレーナなどのメンテナンス部が設けられている。そして水栓カバー１４１の本体部１４３には、メンテナンス部が設けられた部位に、メンテナンスカバー１４４が開閉自在に取り付けられている。このようにして、本体部１４３全体をわざわざ取り外さなくともメンテナンスカバー１４４だけを取り外せば、止水栓１４２やストレーナなどのメンテナンスを行うことができ、水栓１４０のメンテナンス作業時の利便性が図られている（例えば、特許文献１参照。）。
【０００３】
【特許文献１】特開２００１−２０７４９５公報（図１）
【発明の開示】
【発明が解決しようとする課題】
【０００４】
しかしながら、上記したような従来の埋込水栓のメンテナンスカバーの取付構造１４５では、メンテナンス作業の際に本体部１４３からメンテナンスカバー１４４を完全に取り外して作業を行うこととなるため、以下のような問題が生じていた。取付構造１４５では、水栓本体１４６のフランジ１４７と固定ナット１４８とによりメンテナンスカバー１４４を挟持固定してメンテナンスカバー１４４が本体部１４３に取り付けられており、メンテナンス作業時には、固定ナット１４８を緩めてメンテナンスカバー１４４を本体部１４３から取り外して止水栓１４２などの操作を行う。
【０００５】
この際に、取り外したメンテナンスカバー１４４は本体部１４３から完全に取り外されるため、例えば、作業場所である浴室の床面などにメンテナンスカバーが置かれたままメンテナンス作業が行われることがある。このため、作業者が本体部１４３から取り外されたメンテナンスカバー１４４を誤って踏みつけてしまい、メンテナンスカバー１４４を破損するおそれが生じていた。
【０００６】
本発明は上記した従来の埋込水栓のメンテナンスカバーの取付構造の問題点を解消するものであり、メンテナンス作業時におけるメンテナンスカバーの破損のおそれを減少させることのできる埋込水栓のメンテナンスカバーの取付構造を提供することを目的とする。
【課題を解決するための手段】
【０００７】
以上の課題を解決するために、本発明の採った手段を以下に説明する。本発明の埋込水栓のメンテナンスカバーの取付構造は、埋込水栓内に配設される止水栓などのメンテナンス部を覆うとともに前記埋込水栓のカバー本体部に開口されたメンテナンス用の開口部に対して開閉自在に取り付けられるメンテナンスカバーを、前記カバー本体部に取り付けるための埋込水栓のメンテナンスカバーの取付構造であって、前記メンテナンスカバーは、前記カバー本体部に対して、スライド自在に取り付けられたことを特徴とする埋込水栓のメンテナンスカバーの取付構造である（請求項１）。
【０００８】
水栓には、配管から供給される湯・水内の異物を濾過するためのストレーナや、このようなストレーナを清掃する際や寒冷時の凍結防止のために配管から供給される湯・水を一時的に停止させるための止水栓など、水栓本体のメンテナンス作業の際に所定の操作を行うメンテナンス部が設けられていることがある。このようなメンテナンス部を覆うようにしてメンテナンス用の開口部に対して開閉自在に取り付けられるメンテナンスカバーを、本発明においては、カバー本体部に対して「スライド自在に」取り付ける。すると、カバー本体部に対してメンテナンスカバーをスライドさせることによりメンテナンス部を露呈させ、メンテナンス作業を行うことができる。よって、メンテナンス部が露呈するだけスライドさせれば、メンテナンス作業時にもメンテナンスカバーをカバー本体部から完全に取り外すまでの必要は無くなる。このように、浴室や洗面台などに水栓を設置固定した後にもメンテナンスのために逐次開閉する必要が生じるメンテナンスカバーを、スライド自在にカバー本体部に取り付けることにより、メンテナンスカバーの破損などを極力防止することができる。
【０００９】
なお、本発明において「埋込水栓」とは、浴室などのカウンターのパネル等の内部に収容される水栓のみならず、水栓カバーや水栓ボックスなどに覆われる水栓も含むものである。また「メンテナンス部」とは、止水栓やストレーナなどを含めて、水栓の設置後にメンテナンス作業を必要とする水栓の部位・部品を広く含むものである。
【発明の効果】
【００１０】
本発明は上記のようにメンテナンスカバーがカバー本体部に対してスライド自在に取り付けられているので、メンテナンスカバーをスライドさせるだけでメンテナンス作業を行うことができ、メンテナンスカバーをカバー本体部から完全に取り外す必要がない。よって、メンテナンス作業時のメンテナンスカバーの破損のおそれを減少させることができる。
【発明を実施するための最良の形態】
【００１１】
次に、本発明の埋込水栓のメンテナンスカバーの取付構造の実施の形態を図を参考にして詳細に説明する。図１に示すように、本発明の埋込水栓のメンテナンスカバーの取付構造１は、壁面２に設置固定される水栓１０の水栓本体１２を被覆する水栓カバー１００のカバー本体部１０２に、メンテナンスカバー１０４をスライド自在に取り付けるものである。この水栓１０は、水栓本体１２及び水栓カバー１００がステー８０に取付固定され、さらにこのステー８０が壁面２にねじ止めされることにより、壁面２に設置固定されている。
【００１２】
図２に示すように、水栓本体１２は、水栓本体１２外から供給される湯・水を適宜量混合する混合弁装置４０と、この混合弁装置４０において適宜混合された混合水が供給されるとともに、この混合水の吐止水、及び吐水管とシャワーからの吐水の切換を行うための切換弁装置６０とを備えている。水栓１０の下方には、湯側及び水側の配管３ａ及び３ｂがそれぞれ引き回されており、これらの配管３ａ，３ｂが水栓カバー１００内に引き込まれている。また、配管３ａ，３ｂの先端には、それぞれ、止水栓ユニット１４がナット４によって接続固定されている。止水栓ユニット１４内には、図２に示すように止水弁１５及び逆止弁１６が内蔵されており、図１に示すように、これらを操作するための操作スピンドル１７及び操作つまみ１８が水栓１０正面側に向けてそれぞれ備えられている。そして、止水栓ユニット１４の接続部１９はクイックファスナー５によって、混合弁装置４０から突設される湯側接続管４２及び水側接続管４４にそれぞれ接続固定されている。このようにして、配管３ａ，３ｂから供給される湯・水は、混合弁装置４０へと流入される。
【００１３】
混合弁装置４０には、図１に示すように、水栓１０正面側やや上方寄りに、斜め上方に向けて突出されて温度調節ハンドル４６が取り付けられている。この温度調節ハンドル４６を回動操作することにより、混合弁装置４０内において混合される混合水が所定温度となるように、内蔵されたサーモカートリッジ４８が駆動される。そして、混合弁装置４０において混合された混合水は混合配管５０を経て切換弁装置６０に流入される。
【００１４】
切換弁装置６０は、その長手方向を水栓１０正面側からみて真横となるようにして、水栓１０正面寄りに設けられている。また、切換弁装置６０には、上記したように混合弁装置４０に接続される混合配管５０のほか、吐水管（図示省略）に接続される吐水配管６２とシャワー（図示省略）に接続されるシャワー配管６４がそれぞれ接続されている。また、切換弁装置６０には、水栓１０正面側から見て手前側に、水栓１０の上下方向において回動操作が可能な切換ハンドル６６が取り付けられている。そして、この切換ハンドル６６を回動操作することにより、切換弁装置６０内の切換弁６３が駆動され、吐止水、及び、吐水配管６２又はシャワー配管６４のいずれに混合水を流出させるかが選択され、図示しない吐水管又はシャワーから混合水が吐出される。
【００１５】
また、上記したように水栓本体１２はステー８０に取付固定されている。混合弁装置４０は、ステー８０の取付孔８１に挿通され、その外周面に周設されたフランジ４１と、スペーサ６を介して取り付けられる固定ナット７とによって取付孔８１周縁のステー８０が挟持されることによりステー８０に固定されている。切換弁装置６０は、ビス止めされる固定プレート１３０を介してステー８０に取付固定されている。また、止水栓ユニット１４はステー８０下部の取付片８２にねじ止めされている。そして、ステー８０自体は、上方の固定片８４及び下方の固定片８５がそれぞれ壁面２にねじ止めされている。このようにして、水栓本体１２は、ステー８０を介して壁面２に固定されている。また、水栓カバー１００は、その上部においてステー８０のカバー取付用の取付片８３にねじ止めされている。また、ステー８０下端が水栓カバー１００のカバー本体部１０２の下部内側に形成された受け部１０８（図３参照）に載置固定されて位置決めされている。
【００１６】
次いで水栓カバー１００について説明する。水栓カバー１００は、図１及び図３に示すように、カバー本体部１０２とメンテナンスカバー１０４とフタ１０６とを備えている。水栓カバー１００全体は、下方寄りを正面側に膨出させたボックス状に形成されており、水栓本体１２、止水栓ユニット１４、ステー８０などをその内部に収容している。また、カバー本体部１０２の正面上方寄りからは、手前側斜め上方に向けて、上記した温度調節ハンドル４６が突設されている。また、この温度調節ハンドル４６のやや下方で、カバー本体部１０２の正面側ほぼ中央には、上記した切換ハンドル６６が取り付けられている。
【００１７】
メンテナンスカバー１０４は、この切換ハンドル６６よりも下方のカバー本体部１０２の正面側下方寄りの部位に取り付けられている。図１に示すように、メンテナンスカバー１０４は、カバー本体部１０２正面側から見て、右横方向にスライド自在に取り付けられている。図１及び図３に示すように、カバー本体部１０２の正面側下方寄りには、メンテナンスカバー１０４の正面視外形とほぼ対応した方形状のメンテナンス用開口部１０７が開設されている。図３及び図４に示すように、この開口部１０７の上辺及び下辺には、突条１１０がそれぞれ形成されている。この突条１１０は、カバー本体部１０２の正面視左側の左側壁１１２の内側から右側壁１１４の外側に至るまで形成されている。また、カバー本体部１０２の上部には、ステー８０の固定片８４を壁面２に取り付けるために、取り外しが可能なフタ１０６が取り付けられている。
【００１８】
メンテナンスカバー１０４は、正面視がほぼ方形状に形成され、その上下方向において正面側中央部分が手前側にやや膨出するように湾曲して形成されている。メンテナンスカバー１０４の上端辺及び下端辺には、カバー本体部１０２の突条１１０がスライド嵌合する溝１１６がそれぞれ穿設されている。この溝１１６は、メンテナンスカバー１０４の正面視左端部から右端部の直前に至るまで形成されており、図３及び図４に示すように、右端部においては外部から目視できないようにされ、水栓１０の美観を損ねないように構成されている。また、メンテナンスカバー１０４の正面側右端部寄りには、メンテナンスカバー１０４をスライド操作する際に作業者が指を引っかけやすくして操作性を向上させるための引っかけ部１１８が形成されている。
【００１９】
図５にも示すように、メンテナンスカバー１０４の裏側左端部寄りには、メンテナンスカバー１０４の脱落を防止するために形成された僅かな高さの脱落防止凸部１２０が設けられている。また、図６にも示すように、メンテナンスカバー１０４がカバー本体部１０２に取り付けられて開口部１０７が完全に被覆された状態において、開口部１０７の右側壁１１４のすぐ内側に位置する部位のメンテナンスカバー１０４の裏側面には、メンテナンスカバー１０４の不要なスライドを防止するための僅かな高さの干渉凸部１２２が設けられている。
【００２０】
次いで、メンテナンスカバー１０４の使用方法について説明する。メンテナンスカバー１０４は、あらかじめカバー本体部１０２の開口部１０７にスライド嵌合されて取り付けられており、水栓本体１２、ステー８０、カバー本体部１０２などとともに一体化されて水栓１０の設置場所まで搬送される。そして、フタ１０６をカバー本体部１０２から取り外して固定片８４を露呈させるとともに、メンテナンスカバー１０４をスライドさせてステー８０の固定片８５も露呈させる。そして、壁面２に対して固定片８４，８５をねじ止めして水栓１０を壁面２に固定する。固定作業後にはメンテナンスカバー１０４をスライドさせて開口部１０７を閉じておく。メンテナンスカバー１０４を閉じた状態では干渉凸部１２２が開口部１０７の右側壁１１４に干渉して、水栓１０の使用者がメンテナンスカバー１０４に意図せずに触れた程度の弱い力ではメンテナンスカバー１０４がスライドしてしまわないように構成されている。
【００２１】
そして、止水栓ユニット１４のメンテナンスが必要になった場合には、干渉凸部１２２の干渉力に抗してメンテナンスカバー１０４をスライドさせて開口部１０７を開く。この際に、図１及び図３に示すように、メンテナンスカバー１０４をカバー本体部１０２右側にスライドさせるだけで止水栓ユニット１４が露呈されるので、止水栓ユニット１４のメンテナンス作業時にもカバー本体部１０２からメンテナンスカバー１０４を完全に取り外す必要はない。また、メンテナンスカバー１０４をスライドさせて開口部１０７を開く際には、脱落防止凸部１２０が開口部１０７の右側壁１１４に干渉することにより、メンテナンスカバー１０をスライドさせた際に勢い余ってメンテナンスカバー１０４がカバー本体部１０２から脱落することも防止される。
【００２２】
なお、メンテナンス部を覆うメンテナンスカバー以外のカバー部、例えば、上記取付構造１におけるフタ１０６の取付においても上記したような取付構造１を採用することができるが、水栓１０の壁面２への設置後にも頻繁に開閉する必要のあるメンテナンスカバーにこのような取付構造１を採用することが、損傷防止のために特に好適である。
【００２３】
本発明は上記した実施の形態に限られるものではなく、本発明の趣旨の範囲内で種々の変更が可能である。例えば、上記の取付構造１では、開口部１０７側に突条１１０、メンテナンスカバー１０４側に溝１１６を設けることとしているが、メンテナンスカバー１０４側に突条１１０を、開口部１０７側に溝１１６を設けることとしても良い。また、上記した水栓カバー１００の開口部１０７以外の別の部位に設けられたメンテナンス部にこのような取付構造１を設けることとしても良い。また、上記した取付構造１ではメンテナンスカバー１０４は水栓カバー１００の横方向にスライド自在に取り付けられるものとしたが、これに限られず水栓カバー１００内部に収容される水栓本体１２の形状に対応させるなどとして、例えば上下方向にスライド自在に取り付けられるものとしても良い。
【００２４】
また、突条１１０と溝１１６に限られず、カバー本体部１０２に対して他の手段によりメンテナンスカバー１０４をスライド自在に取り付けても良く、例えば、メンテナンスカバー１０４側には溝１１６に代えて突条１１０にスライド嵌合する断面コ字状の嵌合片などをその上端辺及び下端辺にいくつか形成するなどとしても良い。また、メンテナンスカバー１０４の脱落防止などを行うためには、脱落防止凸部１２０や干渉凸部１２２に限られず、突起、突条やゴムなど、メンテナンスカバー１０４のスライドに抵抗を与える抵抗部であれば形状・材質は限られない。
【図面の簡単な説明】
【００２５】
【図１】メンテナンスカバーをスライドさせた状態の埋込水栓の一部分解正面図である。
【図２】図１の水栓の側面視縦断面図である。
【図３】メンテナンスカバーをスライドさせた状態の水栓カバーの斜視図である。
【図４】メンテナンスカバーの取付構造の要部拡大図である。
【図５】脱落防止凸部周辺のメンテナンスカバーの要部拡大図である。
【図６】干渉凸部周辺のメンテナンスカバーの要部拡大図である。
【図７】従来のメンテナンスカバーの取付構造の縦断面図である。
【符号の説明】
【００２６】
１；メンテナンスカバーの取付構造、２；壁面、３ａ，３ｂ；配管、４；ナット、５；クイックファスナー、６；スペーサ、７；固定ナット、１０；水栓、１２；水栓本体、１４；止水栓ユニット、１５；止水弁、１６；逆止弁、１７；操作スピンドル、１８；操作つまみ、１９；接続部、４０；混合弁装置、４１；フランジ、４２；湯側接続管、４４；水側接続管、４６；温度調節ハンドル、４８；サーモカートリッジ、５０；混合配管、６０；切換弁装置、６２；吐水配管、６３；切換弁、６４；シャワー配管、６６；切換ハンドル、８０；ステー、８１；取付孔、８２；取付片、８３；取付片、８４；固定片、８５；固定片、１００；水栓カバー、１０２；カバー本体部、１０４；メンテナンスカバー、１０６；フタ、１０７；開口部、１０８；受け部、１１０；突条、１１２；左側壁、１１４；右側壁、１１６；溝、１１８；引っかけ部、１２０；脱落防止凸部、１２２；干渉凸部、１３０；固定プレート、１４０；水栓、１４１；水栓カバー、１４２；止水栓、１４３；本体部、１４４；メンテナンスカバー、１４５；取付構造、１４６；水栓本体、１４７；フランジ、１４８；固定ナット。
【図１】
2006016758.tif 000003
【図２】
2006016758.tif 000004
【図３】
2006016758.tif 000005
【図４】
2006016758.tif 000006
【図５】
2006016758.tif 000007
【図６】
2006016758.tif 000008
【図７】
2006016758.tif 000009